【事件の表示】
　特願２０１１−　５４３８５「インクジェットヘッド」拒絶査定不服審判事件〔平成２４年１０月　４日出願公開、特開２０１２−１８７８６４〕について、次のとおり審決する。
【結　論】
　本件審判の請求は、成り立たない。
【理　由】
１．手続の経緯
　本件出願は、平成２３年３月１１日の特許出願であって、平成２５年８月２９日付けで手続補正書が提出された後、平成２６年２月１４日付けで拒絶の査定がなされ（同査定の謄本の送達（発送）日、同年同月１８日）、これに対して、同年５月１９日付けで拒絶査定不服審判の請求と同時に特許請求の範囲及び明細書を補正する手続補正がなされ、さらに、当審において、平成２７年１月２１日付けで、平成２６年５月１９日付けの手続補正を却下すると共に拒絶の理由を通知したところ、平成２７年３月３０日付けで意見書並びに特許請求の範囲及び明細書を補正する手続補正書が提出されたものである。
　
２．本願の発明
　本願の請求項１に係る発明は、上記平成２７年３月３０日付けの手続補正によって補正された特許請求の範囲、明細書、及び図面の記載からみて、その特許請求の範囲の請求項１に記載された次のとおりのものと認める。 
　「【請求項１】
　基板と、
　前記基板に取り付けられ、複数の圧力室を有する圧電部材と、
　前記複数の圧力室にそれぞれ設けられた複数の電極と、
　前記基板に設けられ、前記複数の電極にそれぞれ接続された複数の導電部と、
　前記電極と前記導電部の一部とを覆う絶縁膜と、
　内側に前記圧電部材が配置されたインク室が設けられ、前記絶縁膜の上から前記基板に取り付けられた枠部材と、
　前記枠部材に取り付けられ前記インク室を塞ぎ、前記複数の圧力室にそれぞれ開口する複数のノズルを有するノズルプレートと、
　前記複数の導電部に接続された電子部品と、
　前記枠部材と前記電子部品との間に位置する前記絶縁膜の端部と、前記絶縁膜の端部と前記電子部品との間の露出する前記導電部と、この導電部が接続される前記電子部品の端部との間の露出部全体を前記ノズルプレートまで突出しない範囲で覆うように塗布している保護剤と、
　を具備することを特徴とするインクジェットヘッド。」（以下「本願発明」という。）
　
３．引用例
（１）引用例１
　当審から通知した拒絶の理由に引用し、本願の出願前である平成２１年９月１０日に頒布された特開２００９−２０２４７３号公報 （以下「引用例１」という。）には、図面と共に次の事項が記載されている。（なお、下線は審決で付した。以下同じ。）
ア．「【背景技術】
【０００２】
　
電気的絶縁、防湿、耐磨耗等を目的として、基体の表面にパリレン膜を形成したインクジェットヘッド
【０００３】
　このインクジェットヘッドでは、パリレン膜を気相合成法により形成する。この従来例では、パリレン膜にシランカップリング剤を含有させることで、パリレン膜と基体との密着性が向上するとしているが、そもそも
パリレン膜は、被着物との間で密着性が弱い性質を有している
イ．「【００１１】
　図１から図４に示すように、インクジェットヘッド１１は、いわゆるシェアモードタイプのものである。
インクジェットヘッド１１は、複数の圧力室
基板
基板１３の下側に接着されたベース部１４と、基板１３に接着された天板１５と、基板１３と天板１５とにまたがって接着されたノズルプレート１６と、を備えている。ノズルプレート１６は、複数のノズル１７を有している
各ノズル１７は、各圧力室１２に連通する
【００１２】
　天板１５は、インク流路２１に接続する供給口２２を有している。
天板１５は、その内部にインク流路２１を有している。インク流路２１は、各圧力室１２に連通している
【００１３】
　図１から図４に示すように、
基板１３は、
２枚の圧電部材２３を張り合わせて形成されている
基板１３は、その表面から溝状に形成される複数の圧力室１２と、各圧力室１２の両側部に設けられる駆動素子である支柱２４と、各支柱２４の側面および圧力室１２の底部に形成される電極２５と、を有している
各電気配線２６は、その一端で電極２５と連続しており、他端で図１０に示すヘッド駆動用のプリント回路板２７に接続されている
【００１４】
　図５に示すように基板１３は、プリント回路板２７ないしフレキシブルケーブルとの間で電気的接続部を形成する第１の部分３１と、第１の部分３１の周囲に設けられた第２の部分３２と、を有している。第１の部分３１は、さらに、第１の部分３１の外周部に設けられた縁部３１Ａを有している。
【００１５】
　図１０に示すように、
基板１３は、電極２５（電気配線２６）の表面に絶縁膜３３を有している
【００１６】
　基板１３は、さらに、縁部３１Ａと、絶縁膜３３の縁部に対応する部分３３Ｂとの間に、グリス３４を有している。グリス３４は、第１の部分３１の外周部に沿って配置されている。グリス３４は、後述するインクジェットヘッド１１の製造方法で、絶縁膜３３を蒸着する際のマスキングに用いられるものである。グリス３４は、例えば、真空グリスであり、精製したシリコーンオイルを基油に例えばシリカ粉末を配合したオイルコンパウンドで構成されている。グリス３４の粘着力によって、不要部分の絶縁膜３３を除去する際に、必要な領域の絶縁膜３３が一緒に除去されてしまうことが防止される。」
ウ．「【００２２】
　図７に示すように、基板１３の第１の部分３１および第２の部分３２の表面に絶縁膜３３を形成する。図８に示すように、第１の部分３１の縁部３１Ａの近傍において、矢印で示す位置に、例えばカッタによって絶縁膜３３に切り込みを形成する。図９に示すように、第１の部分３１の表面に形成された絶縁膜３３を除去する。このとき、図９と図１０に示すように、縁部３１Ａと、絶縁膜３３の縁部に対応する部分３３Ｂとの間には、グリス３４の一部が残存している。これによって、第１の部分３１の表面に形成された絶縁膜３３を除去する際に、必要な部分の絶縁膜３３が一緒に剥がされてしまうことが防止される。」
エ．上記イ（【００１２】）の「天板１５は、その内部にインク流路２１を有している。」という記載を参酌しながら図３、１０をみると、
天板１５は、絶縁膜３３の上から基板１３に取り付けられた枠部材を有し、インク流路２１は、枠部材の内側に設けられている
オ．また、図３及び１０をみると、
絶縁膜３３の縁部に対応する部分３３Ｂと、ヘッド駆動用のプリント回路板２７の端部との間に、電気配線２６が露出している部分があり、この露出している部分は枠部材の外側に位置している
　
　上記の記載事項及び図示内容を総合すると、引用例１には、次の発明（以下「引用発明１」という。）が記載されているものと認められる。
　「２枚の圧電部材２３を張り合わせて形成されている基板１３と、基板１３の下側に接着されたベース部１４と、基板１３に接着された天板１５と、基板１３と天板１５とにまたがって接着されたノズルプレート１６と、を備えるインクジェットヘッド１１であって、
　基板１３は、その表面から溝状に形成される複数の圧力室１２と、各圧力室１２の両側部に設けられる駆動素子である支柱２４と、各支柱２４の側面および圧力室１２の底部に形成される電極２５と、複数の電気配線２６とを有しており、各電気配線２６は、その一端で電極２５と連続し、他端でヘッド駆動用のプリント回路板２７に接続されており、電極２５と電気配線２６の表面には絶縁膜３３が形成され、この絶縁膜３３の縁部に対応する部分３３Ｂと、ヘッド駆動用のプリント回路板２７の端部との間には、電気配線２６が露出している部分があり、
　天板１５は、絶縁膜３３の上から基板１３に取り付けられた枠部材を有しており、枠部材の内側には、各圧力室１２に連通しているインク流路２１が設けられていて、前記電気配線２６が露出している部分は枠部材の外側に位置しており、
　ノズルプレート１６は、複数のノズル１７を有しており、各ノズル１７は各圧力室１２に連通している、
　インクジェットヘッド１１。」
　
（２）引用例２
　同じく当審から通知した拒絶理由で引用された、本願の出願前である平成１６年２月１２日に頒布された特開２００４−４２４５３号公報（以下「引用例２」という。）には、図面と共に以下の事項が記載されている。
ア．「【０００１】
【発明の属する技術分野】
本発明は、
インクジェット記録ヘッド
【０００６】
これらの図に示す構造の記録ヘッドは、主に図１（ｂ）に示すように、ヒータ２０やその駆動回路（不図示）を形成した基板１上に流路形成部材２Ａを積層しその上に硬化性樹脂よりなるオリフィスプレート２を形成することにより、吐出口３やこれに連通するインク流路が形成されるものである。また、基板１上の電気回路と、これに記録ヘッド外部から電力等を供給するための媒介となる配線部材、すなわちベースフィルム６とは、
基板側のバンプ電極４とベースフィルム側のТＡＢリード５とのТＡＢ接合によって電気的な接続が行なわれる。そして、この接続部は電気的絶縁やインクによる腐食防止等のため、封止樹脂７によって封止される。
イ．図１（ｂ）及び図２から、
電気的絶縁やインクによる腐食防止等のための封止樹脂７は、ＴＡＢリード５やバンプ電極４の露出する領域に限定して設けるのではなく、当該露出する領域に隣接する部位（流路形成部材２Ａの端部及びベースフィルム６（のベース部）の端部）も覆う態様で設けられている
　
　上記の記載事項及び図示内容を総合すると、引用例２には、次の発明（以下「引用発明２」という。）が記載されているものと認められる。
「基板側のバンプ電極４とベースフィルム側のТＡＢリード５との電気的な接続部を、電気的絶縁やインクによる腐食防止等のために、ТＡＢリード５やバンプ電極４の露出する領域だけではなく、当該露出する領域に隣接する部位も覆う態様で設けられる封止樹脂７によって封止するインクジェット記録ヘッド。」
　
（３）引用例３
　同じく当審から通知した拒絶理由で引用された、本願の出願前である平成８年４月２日に頒布された特開平８−８５２１３号公報（以下「引用例３」という。）には、図面と共に以下の事項が記載されている。
ア．「【０００４】以下に従来の
プリンタヘッド
７は電極４と外部からの導電部とを結ぶＡｕまたはＡｌにより形成されている配線、８は配線７と外部からの配線であるフレキシブルプリント基板の銅箔とを熱圧着、共晶ボンド、ハンダ溶融ボンド等により接続するＡｕまたはハンダからなる接続用パット、９は外部から配線されたフレキシブルプリント基板の銅箔、
１１はノズル板６とフレキシブルプリント基板を封止している封止樹脂、
イ．図４から、電極４に接続された配線７と、電極４と配線７の一部とを覆う絶縁膜５と、前記配線７に接続されたフレキシブルプリント基板の銅箔９と、ノズル板６と前記銅箔９との間に位置する前記絶縁膜５の端部と、前記絶縁膜５の端部と前記銅箔９との間の露出する前記配線７と、前記銅箔９が露出する部位とを覆うように塗布している封止樹脂１１と、を具備するプリンタヘッドが看取できる。
ウ．「【０００８】
【発明が解決しようとする課題】しかしながら上記従来のプリンタヘッドでは、ノズル板表面には飛翔したインク滴の残留物が付着している。この残留インク滴はインク滴が飛翔する際にインク滴に接触して飛翔するインク滴の飛翔方向やインク滴のサイズを変化させてしまい、記録媒体に正常なドットが形成されない。この残留インク滴を除去するには、残留インク滴をブレード等でワイピングすれば良いが、ノズル板の表面に封止樹脂が凸状に形成されていてノズル板表面が平坦でないので、インク滴の残留物を除去することができないという問題点を有していた。」
　
　上記の記載事項及び図示内容を総合すると、引用例３には、次の発明（以下「引用発明３」という。）が記載されているものと認められる。
「電極４に接続された配線７と、電極４と配線７の一部とを覆う絶縁膜５と、前記配線７に接続されたフレキシブルプリント基板の銅箔９と、ノズル板６と前記銅箔９との間に位置する前記絶縁膜５の端部と、前記絶縁膜５の端部と前記銅箔９との間の露出する前記配線７と、前記銅箔９が露出する部位とを覆うように塗布している封止樹脂１１と、を具備するプリンタヘッド。」（以下「引用発明３」という。）が記載されていると認められる。
　  
４．対比
　本願発明と引用発明１とを対比すると、
　両者の構造、機能、作用等からみて、後者における「ベース部１４」が、前者における「基板」に相当しており、以下同様に、「（２枚の圧電部材２３を張り合わせて形成されている）基板１３」は「圧電部材」に、「圧力室１２」は「圧力室」に、「電極２５」は「電極」に、「電気配線２６」は「導電部」に、「絶縁膜３３」は「絶縁膜」に、「枠部材」は「枠部材」に、「インク流路２１」は「インク室」に、「ノズルプレート１６」は「ノズルプレート」に、「ノズル１７」は「ノズル」に、「ヘッド駆動用のプリント回路板２７」は「電子部品」に、「絶縁膜３３の縁部に対応する部分３３Ｂと、ヘッド駆動用のプリント回路板２７の端部との間の電気配線２６が露出している部分」は「絶縁膜の端部と前記電子部品との間の露出する前記導電部と、この導電部が接続される前記電子部品の端部との間の露出部」に、それぞれ相当する。そして、後者のノズルプレート１６は「基板１３と天板１５とにまたがって接着された」ものであって、天板１５は枠部材を含んで構成されているから、上記ノズルプレート１６も、前者のノズルプレートと同様に、「枠部材に取り付けられ」たものといえる。
　
　したがって、両者は、
「基板と、
　前記基板に取り付けられ、複数の圧力室を有する圧電部材と、
　前記複数の圧力室にそれぞれ設けられた複数の電極と、
　前記基板に設けられ、前記複数の電極にそれぞれ接続された複数の導電部と、
　前記電極と前記導電部の一部とを覆う絶縁膜と、
　内側に前記圧電部材が配置されたインク室が設けられ、前記絶縁膜の上から前記基板に取り付けられた枠部材と、
　前記枠部材に取り付けられ、前記複数の圧力室にそれぞれ開口する複数のノズルを有するノズルプレートと、
　前記複数の導電部に接続された電子部品と、
　を具備するインクジェットヘッド。」
　の点で一致し、以下の点で相違している。
　［相違点１］
　本願発明に係るノズルプレートが「インク室を塞」ぐとされるのに対し、引用発明１に係るノズルプレートは「インク室を塞」ぐといえるか否かが明らかではない点。
　［相違点２］
　本願発明は、「枠部材と電子部品との間に位置する絶縁膜の端部と、前記絶縁膜の端部と前記電子部品との間の露出する導電部と、この導電部が接続される前記電子部品の端部との間の露出部全体をノズルプレートまで突出しない範囲で覆うように塗布している保護剤」を具備するのに対して、引用発明１では、そのような保護材について言及していない点。
　
５．当審の判断
　上記相違点について以下検討する。
（１）相違点１について
　引用発明１に係るノズルプレートも、圧力室１２を介して、インク流路２１（インク室）を間接的に塞いでいるとみることができる。
　また、本願発明でいう「インク室を塞（ぐ）」が、インク室を直接塞ぐことを意味するものだとしても、そのような構造のノズルプレートを有するインクジェットヘッドは、当業者において技術常識（例えば、特開平６−１７１０８４号公報の【０００８】及び図２、特開平９−１５０５０８号公報の【００１４】及び図１、特開２００８−３０３１７号公報の【００１０】及び図２、特開２００８−１２６４８４号公報の【００２６】〜【００２９】及び図２、特開２００８−１４９５９４号公報の【００２４】〜【００２５】及び図３、特開２００９−１６０８２２号公報の【００１６】〜【００１７】及び図２参照。）である。
　そして、引用発明と上記技術常識とは、共にノズルプレートを具備するものであって、上記常套事項のようなノズルプレートでインク室を直接塞ぐ構造のインクジェットヘッドでも、導電部と電子部品（駆動回路）との電気的な接続構造等が基本的に異なるということはないから、引用発明１に上記技術常識を適用することは、当業者が容易に想到し得るものである。
　したがって、引用発明１には、相違点１に係る本願発明の発明特定事項が実質的に開示されているか、上記技術常識を適用することにより、相違点１に係る本願発明の発明特定事項とすることは、当業者が容易に想到し得るものである。
　
（２）相違点２について
　引用発明２は、上記「３．（２）」のとおりであって、引用発明２における「封止樹脂７」は、その構造、機能、作用等からみて、本願発明における「保護剤」に相当し、以下同様に、「インクジェット記録ヘッド」は「インクジェットヘッド」に、相当する。
　そして、引用発明２の「基板側のバンプ電極４とベースフィルム側のТＡＢリード５との電気的な接続部を、電気的絶縁やインクによる腐食防止等のために、ТＡＢリード５やバンプ電極４の露出する領域だけではなく、当該露出する領域に隣接する部位も覆う態様で設けられる封止樹脂７によって封止する」との事項と本願発明の「枠部材と電子部品との間に位置する絶縁膜の端部と、前記絶縁膜の端部と前記電子部品との間の露出する導電部と、この導電部が接続される電子部品の端部との間の露出部全体を覆うように塗布している保護剤」との事項とは、「導電領域における露出部全体と前記露出部全体に隣接する部位とを覆うように塗布している保護剤」との概念で共通する。
　また、引用発明３は、上記「３．（３）」のとおりであって、引用発明３における「電極４」は、その構造、機能、作用等からみて、本願発明における「電極」に相当し、以下同様に、「配線７」は「導電部」に、「絶縁膜５」は「絶縁膜」に、「銅箔９」は「電子部品」に、「封止樹脂１１」は「保護剤」に、「プリントヘッド」は「インクジェットヘッド」に、それぞれ相当する。
　してみると、引用発明３は、上記相違点２に係る本願補正発明の発明特定事項を備えている。
　そして、引用例２には、「流路形成部材２Ａと封止樹脂７との密着性が劣ることによって、これらの間に図２に示すように微細な隙間Ｓができることがある。一方、インクジェット記録ヘッドでは、その記録動作に伴うインク吐出によって、記録用紙から跳ね返ったインクや浮遊するインクが流路形成部材の表面などにインク滴９として付着する。そして、付着したインク滴９は上記の隙間Ｓに入り込み、基板１の表面まで至ることがある。その結果、基板表面における電気配線などで、インク中のイオンによる電気的な腐食を生ずることになる。」（【０００９】）と記載されているように、電気配線などの露出部を封止樹脂（保護剤）で覆った場合でさえも、インクの悪影響を受ける可能性があるから、当業者においては、引用発明１のように導電部が接続される電子部品の端部との間の露出部全体を封止することなく、露出した状態のままに放置することは到底想定し難いものといえる。
　したがって、引用発明１において、引用発明２、３を適用することは、当業者が容易に想到し得るものである。
　また、引用例３には、上記「３．（３）ウ」に記載されているように、ノズル板の表面に封止樹脂が凸状に形成されていてノズル板表面が平坦でないとノズル板の表面に付着したインク滴の残留物を除去することが困難になるといった不都合を生じるおそれがあることが示されており、このことを考慮すれば、「ノズル板の表面に封止樹脂が凸状に形成することを回避しなければならないこと」が示唆されているといえる。
　よって、引用発明１において、引用発明２、または３を適用し、その際、引用例３の上記示唆を踏まえて保護剤が塗布されて覆われる範囲を「ノズルプレートまで突出しない範囲とする」ことにより、相違点２に係る本願補正発明の発明特定事項とすることは、当業者が容易に想到し得るものである。
　
（３）そして、本願発明の発明特定事項の全体によって奏される効果も、引用発明１ないし３から当業者が予測し得る範囲内のものである。
　
６．むすび
　したがって、本願発明は、引用発明１において、引用発明２、または３を適用して当業者が容易に発明をすることができたものであるから、特許法２９条２項の規定により特許を受けることができない。
　
　よって、結論のとおり審決する。